(57)【要約】【課題】  水性生物を陸上で養殖飼育を行うときには、飼育環境温度を維持するための施設と完全な生物濾過能力が必要になる。そしてどちらかが能力不足でも水性生物の生命は維持できない。  施設と濾過装置の維持運営には、エネルギーの消費量がかかり過ぎると経営難に陥る。さらに、ここに来て断熱材による大火災が頻繁に発生するように成った。現在使われている断熱材は樹脂系断熱材が主流で火災に遭うとその施設は崩壊し後の運営は困難になる。まして地場産業は立ち行かない。【解決の手段】  そこで、地域経済を支える地場産業の喪失を防ぎ、人口の流失と若者の定着を促す過疎化対策の一助として養殖施設の不燃化であり数少ない不燃材料のなかでの新しい不燃断熱材の利用方法と新しい断熱材の発明の提案である。【選択図】図１
2020096576.tif 000002
【特許請求の範囲】
【請求項１】
コンテナに断熱能力を持たせるには、最初にコンテナ養殖施設の基礎部土台と屋根付き囲い壁用の鋼材パイプと接続するための取り付け金具を基礎土台部にあらかじめ設置工事する。そしてコンテナ養殖施設と屋根付き囲い壁との間は一定の間隔の隙間を確保し小石状多孔質軽量発泡資材を不燃断熱材として直に投入したり、ネット袋に入れ設置したりする事を特徴とするコンテナ養殖施設と屋根付き囲い壁。
【請求項２】
請求項１記載の屋根付き囲い壁内コンテナ養殖施設と別棟機械室に板状多孔質軽量発泡資材と発泡樹脂断熱材を接着剤で張り合わせて作る発泡ガラス複合断熱材は、板状多孔質軽量発泡資材の不燃能力を利用しての不燃化と弱点である材質の割れや脆さの補強を軽量・断熱能力の高い発泡樹脂断熱材で作る不燃と断熱化と軽量を向上させ不燃ガラス塗料の塗布で表面を不燃化にする事を特徴とする発泡ガラス複合断熱材。
【請求項３】
請求項１記載のコンテナ養殖施設と屋根付き囲い壁と機械室に空気の供給と排出を小石状多孔質流紋岩と活性炭と木炭が入る装置から供給と排出をしたりする事を特徴とする昆虫・小動物阻止付き空気取り入れ及び排出装置。
【請求項４】
請求項１記載のコンテナ養殖施設と屋根付き囲い壁内で冷却用エアコンは飼育水槽からの海水蒸発により故障が頻発に起きるため飼育が制約される。それに変わる装置として循環チタンパイプとチタン製パイプ付きチタン製放熱板が用意されコンテナ壁面鉄板部に固定しそれを利用し室内をコンテナ壁面鉄板部とチタン製放熱板と両方で冷却するコンテナ専用冷却を特徴とする不燃断熱コンテナ養殖施設でさらに養殖水槽は循環チタンパイプを飼育水槽に設置し冷却する事を特徴とする不燃断熱養殖施設。
【請求項５】
請求項１記載の屋根付き囲い壁の屋根部は曲面用の耐火性板・不燃性板でアーチ鋼材パイプに固定する。そして壁面部も耐火性板・不燃性板で鋼材パイプに固定する。さらにその外側にガラス繊維ネットが覆い被せられ基礎土台部に固定される。その上にモルタル層を構築する事を特徴とするコンテナ養殖施設と屋根付き囲い壁。
【請求項６】
請求項１記載の屋根付き囲い壁のモルタル層の上に板状多孔質軽量発泡資材と発泡樹脂断熱材を張り合わせて作った発泡ガラス複合断熱材を用意して、その表面にポリウレア樹脂を吹付けて仕上げたポリウレア複合壁材を制作する。さらに屋根用は細く長物二枚で幅違い材料を用意し、重ねて接着し幅広側にはビス穴が開けられ、表面にポリウレア樹脂を吹付けて仕上げられたポリウレア樹脂複合屋根材ができる。それを乾いたモルタル層の上に接着剤で貼付け屋根用は釘かビスと接着剤で貼付けて仕上げる事を特徴とし、さらにガラス繊維ネットバンドはポリウレア樹脂複合屋根材の繋ぎ目と繋ぎ目の上に渡し基礎土台に固定しその上から施設全体にガラス塗料を塗布する事を特徴とする不燃断熱養殖施設。
【発明の詳細な説明】
【技術分野】
【０００１】  本発明は、不燃材で断熱性が高くしかも強度の強い養殖施設の構造に関する。特に緯度の低い地方や海岸から近い地域において、生活を行う場所としての住居、及び水産物の生産を行うための施設に必要な特性を持たせるための技術に関する。
【背景技術】
【０００２】  近年海洋汚染が激しい昨今、漁業権や自然環境保護等の問題により海上において水性生物（海洋生物）を捕獲するのが困難になってきている。そこで、沿岸に生け簀を作り養殖をする事が良く行われるが、これでも海洋汚染の問題は解決されない。【０００３】  一方今日本では高齢化社会になり、特に離島においては産業自体を維持したり新たに起こしたりするのが難しく、過疎化の流れを食い止められない。
本願特許の発明者は一貫して、海洋汚染に影響されない水生生物の陸上での養殖を指向し、それを事業化する事により過疎化の問題を解決する一助になることを願って研究開発を行ってきた。【０００４】  本願発明はそのような社会的背景から生まれて来たものであるが、特に沖縄など低緯度地方にある離島において水性生物の養殖を行う中でなされた発明である。
養殖を行う場所が例えば沖縄近辺の島の場合、養殖設備に加え、強い日差しと台風への対策、また、塩害の影響を防いだ養殖施設が必要になる。【０００５】  強い日差しは室温の上昇を招くため、エアコンを使用するにしても屋根や側壁からの熱を遮断する断熱性が求められる。また、低緯度地方は元々太陽からの紫外線が強いだけでなく空気が澄んでいるため、建屋に使用される多くの部材は本州などの高緯度地方より紫外線の耐久性が強く要求される。【０００６】  それ以外も、毎年発生する台風の風圧に耐える耐風強度、潮風に耐える耐塩害強度等が必要であるが、それ以上に沖縄地方の湾などでは、生け簀による従来の養殖方法は台風の通り道にある沖縄地方では、一夜で生け簀や施設が高波で被害を受けるために養殖産業が成立しないのが現状である。【０００７】  沖縄地方での養殖産業の確立には、強い太陽光と紫外線からの防御と台風からの強い風からの防御などが必要である。海の中での養殖は今日まで失敗の連続の歴史があり、養殖施設や養殖装置を風や高波から守るための残された道は陸上養殖しか選択はありません。【０００８】  陸上養殖の本格的な施設の導入には、強い日差しと強い紫外線から施設を守り、室温の上昇を抑えるために充分な断熱が必要になる。今まで断熱材と言えば発泡ウレタンや発泡樹脂が代表的な建築材料でありましたが、昨年から今年に架けてこれら材料による大火災が多発しました。【０００９】  本願発明の出願人も水温維持や養殖施設のための研究も特許出願も行ってきましたが、それは総て発泡樹脂断熱材による断熱の研究であり、不燃・耐火・防火の研究や特許の出願はしておりませんでした。【００１０】  発泡樹脂断熱材は断熱能力に優れているが不燃や耐火能力はない。そのため最近、断熱マンションや断熱倉庫などから断熱材による大火災が発生している。【００１１】  その大火災の原因は、ＳＷＰ外壁断熱材によるものであった。
ＳＷＰ断熱材とは金属板と金属板の間に発泡樹脂断熱材をサンドイッチ加工した製品で、断熱材表面は金属で不燃だが、内部の断熱材は火に弱い発泡樹脂断熱材でできている。【００１２】  鉄板の一部が高温度で熱せられて、局部加熱による発火が起きる。また金属が熱せられて加熱で起きる熱伝導火災が懸念される。それらの現象で内部の樹脂製断熱材に着火するので、一度着火すると表面の金属が邪魔をして、消火が困難で延焼が拡大して大火災になる。【００１３】  さらに別の問題として、例えば過疎地、離島で養殖施設を造る時に熟練した人手の確保が難しい。現地に建築資材を送るときには部材が散逸しない様にキットとして纏めて送る事が多いが、その組み立てはなるべく現地の人が容易にできる様にする事が望ましい。本願特許で提案している養殖施設は特に建築の専門家でなくてもマニュアルどおりに指導すれば専門性や習熟度が低くても建築に従事する事ができ、建築後も養殖施設の維持・修繕などメンテナンスに関わる事ができる。【００１４】  本願特許の真の目的は、この様に低緯度地方に住む人が、現地組み立て、現地で居住し、現地で事業を行い住宅産業が成り立つようにする事ができる。
離島などでの生活は自給が中心の経済活動が中心になり、都市部の産業に比較すれば生産性は決して高くないが、それで多くの人が何世代にも渡り生活をしてきた。しかし、近年の過疎化の進行はすさまじく早く、このままでは地域経済ばかりではなく、そこに住んでいた人自体の生活すら成り立たなくなっている。【００１５】  本願発明はこの様な環境を解決する一助になることを願って到達したものであるが前記載で述べたように養殖産業は今まで施設・備品に使われる素材は有機材系やＦＲＰ樹脂系や発泡樹脂断熱材系などが中心で火災の継続燃料に繋がる素材が多く使われ一度養殖施設に火災が発生するとすべての施設が崩壊する要因が潜在している。
【先行技術文献】
【特許文献】
【００１６】
【特許文献１】特開２０１３−１１３０３３
【特許文献２】特開２００６−１０４７０２
【特許文献３】特許２９６００３８
【特許文献４】特開２００９−２９２６７４
【００１７】  特許文献１には多層構造の外壁構造の一例が開示されている。
但し、本願発明の構造とは層の構成が異なる。
特に、モルタルを使用しているが目的が異なる。またガラス塗料及びフッ素樹脂のコーティングに関する記載は無い。【００１８】  特許文献２は防火性に配慮した建具やパーティションに関する発明であり、ネット部材を積層した例が開示されている。しかし、室外の使用に関して配慮されていない。【００１９】  特許文献３は後述の本願特許のグラスファイバーネットバンドに類似する特許の一例である。しかし本発明を実現するためにどのように使用するかは開示されていない。【００２０】  特許文献４は本願発明の構造と制作方法と素材の組み合わせが違う。本願発明は板状再生多孔質軽量発泡資材と発泡樹脂断熱材で作られた不燃断熱材で不燃と断熱化と軽量化が目的で文献４は断熱と軽量化の事は配慮されていない。
【発明の概要】
【発明が解決しようとする課題】
【００２１】  沖縄など低緯度地方にある離島で水性生物の養殖を行う場合、その前提として、強い日差しによる温度上昇と紫外線による屋根や側壁面の劣化と台風の影響、また塩害の影響を防いだ養殖施設が必要になる。さらに、これまでの建築資材は、火に弱い有機系・樹脂系が多く採用されているので、これら素材を火から防御して前記の問題点を解決しなければならない【００２２】  一般的に、施設の強度を確保するために養殖施設の構造体に鉄骨を用いる事がある。しかし、鉄骨は表面処理を厳重にしても塗り忘れた部分や一寸した傷や断面などから錆が生じ、錆が進行すると腐食してしまう。特に離島など海に近いところでは塩害によりに腐食が早く進み、また気温の高い低緯度地方ではその腐食が促進される。【００２３】  これら問題点をカバーするにはＦＲＰ製柱の採用が無難であるが、不燃材の観点から見ると問題がある。一般の木材も結露などで腐敗が進行し、不燃材では無いので火災に弱い。
【課題を解決するための手段】
【００２４】  前出の鉄骨の弱点をカバーする諸策を講じて構造体として鉄骨を採用し、鉄骨の表面処理後に表面不燃材のガラス塗料を塗布して外壁の裏に設置する。この処理をした鉄骨構造体は、結露の問題も生じないので、錆の問題も解決できる。さらに鉄骨構造体として雨や雪や露に直接当たらない設計で自然環境に曝さない事を設計の基本に据える事が重要である。【００２５】  本願発明の施設は建てるときに先ずコンクリートでつくられた施設基礎を築き、その上にコンテナ養殖施設基礎部を敷く。コンテナ養殖施設基礎部に沿って一定の間隔を維持した鋼材パイプ構造柱基礎部を敷き同時に、鋼材パイプ構造柱を建てる加工済み金具を埋設しておく。【００２６】  構造体として鋼材パイプを柱にして、鋼材パイプ構造柱と鋼材パイプ構造柱に耐火性板・不燃性板を渡し固定し板状構造体を作り上げて、施設の壁面または天面に用いる。【００２７】  屋根をアーチ状に形成する時は、アーチ状に成っている鋼材パイプ構造柱に沿って曲面用耐火性板・不燃性板を鋼材パイプ構造柱に固定して板状構造体を形成する。【００２８】  板状構造体の外面を固定ガラス繊維ネットで覆い、その固定ガラス繊維ネットの外面にモルタルを塗布したモルタル層をもうける。これで鋼材パイプ構造柱からの熱伝導に対しての遮蔽が耐火性板・不燃性板とモルタル層で遮断できる。【００２９】  コンテナ養殖施設基礎部の上に設置されたコンテナ養殖施設は、この施設全体を断熱する為にコンテナ基礎部に沿って一定の間隔を保った鋼材パイプ構造柱基礎部の上に建てられた鋼材パイプと耐火性板・不燃性板とモルタル層により板状構造体が出来上がり、小石状多孔質軽量発泡資材による不燃断熱材の投入できる外側の外壁部が仕上った。さらに小石状多孔質軽量発泡資材は、直接投入したり、ネット袋に入れたりして設置できる。【００３０】  コンテナ養殖施設内部に断熱材を設置するとコンテナ内部スペースが制限される。また施設内部にガラス塗料を塗布することにより結露による木質系材料の腐敗を防ぎ、金属の錆を防ぎ、水滴や汚れが付着しても掃除が容易にできる。【００３１】  本願発明の効果として、安価で強度を持った屋根をアーチ状の屋根で容易に構成できる。これにより柱を極力減らすことができるので、施設の内部を広く使うことができる。【００３２】  本願発明のコンテナ養殖施設の別棟に用意された機械室は、養殖作業の邪魔になる機械類と養殖水槽から発生する塩分を含んだ蒸気が機械類に及ぼす様々な問題の解決に対処するためである。【００３３】  本願発明の昆虫・小動物阻止付き空気取り入れ及び排出装置は、コンテナ養殖施設と機械室に昆虫と小動物の侵入を防ぎ、台風などの来襲に備え、あらゆる隙間から強風と共に海水が入り込むことを防ぐためで多孔質軽量流紋岩を通して空気の出入りを制限して、昆虫・小動物の侵入を阻止している施設の防御システムである。【００３４】  本願発明の機械室の不燃断熱システムは、コンテナ養殖施設のコンテナ壁面が終わった後に屋根付き囲い壁の鋼材パイプ構造柱に、直接取り付ける板状多孔質軽量発泡資材と発泡樹脂断熱材の複合断熱材である。さらに板状多孔質軽量発泡資材は不燃材としての効果に優れているが、断熱材としての断熱��果は劣り、軽量化も難しい。一方発泡樹脂断熱材は断熱力と軽量化に優れた能力を持っているが不燃材として能力がなく、不燃材としての能力と断熱材として能力を素材として弱点をお互いに補完し合い断熱化と不燃化を達成する手段である。【００３５】  本願発明の機械室に設置された冷却装置付き水槽に接続された循環チタンパイプが養殖コンテナ施設内まで配置され、チタンパイプ付きチタン放熱板に接続され養殖コンテナ施設内全体を冷却する方法である。チタンパイプは金属イオンの溶出は無く、錆に強くて軽い。さらに、養殖飼育水槽内にチタンパイプを循環させれば飼育水まで温度管理ができる。【００３６】  本願発明の複合断熱材である板状多孔質軽量発泡資材と発泡樹脂断熱材を接着剤で張り合わせた加工でできた発泡ガラス複合断熱材にポリウレア樹脂を吹付け仕上げでポリウレア樹脂複合屋根材とポリウレア樹脂複合壁材ができる。このポリウレア樹脂は伸び率が２００％程度の伸びても破断せず、クラック等に十分追随し紡食性能を維持できる能力があるために外壁材や屋根材として利用できる。それともう一つの利点は耐候性（紫外線）などに優れている事である。【００３７】  本願発明のポリウレア樹脂複合屋根材はアール形状に対応するために、細長形状で仕上っているために繋ぎ目、繋ぎ目に固定ガラス繊維ネットバンドを覆いかぶせるように屋根付き囲い壁施設基礎部に固定しその上にガラス塗料を塗布してポリウレア複合屋根材とガラス繊維ネットバンドを密着させて強風に備える。
【図面の簡単な説明】
【００３８】
【図１】  構造を示す養殖施設の断面図
【図２】  コンテナ養殖施設と屋根付き囲い壁と板状発泡ガラス複合断熱材が貼られた機械室の側面図
【図３】  コンテナ養殖施設後方断面図
【図４】  コンテナ養殖施設機械室断面図
【図５】  板状多孔質軽量発泡資材と発泡樹脂断熱材を接着固定し作られ発泡ガラス複合断熱材を鋼材パイプに差し込み耐火性板・不燃性板に固定した複合断熱材図
【図６】  コンテナ養殖施設の構造断面図
【図７】  板状多孔質軽量発泡資材と発泡樹脂断熱材を接着しポリウレア樹脂を吹付け仕上げたポリウレア樹脂複合屋根材
【発明を実施するための形態】
【００３９】  コンテナ養殖施設用の金具付き基礎土台と屋根付き囲い壁用の加工済み取り付け金具付き基礎土台をコンクリートで同時に造り上げおく。金具付き基礎土台とコンテナ養殖施設を接続し、屋根付き囲い壁用の加工済み取り付け金具に鋼材パイプ３１を接続する。鋼材パイプ３１と鋼材パイプ３１の間に耐火性板・不燃性板３２で繋がれ固定される。これでコンテナ養殖施設１の周囲を屋根付き囲い壁３が取り囲む事になる。コンテナ養殖施設１の周囲に鋼材パイプ３１と耐火性板・不燃性板で屋根付き囲い壁３が完成し、アーチ状屋根部が鋼材パイプ３１の上部に接続する。そして曲面用耐火性板・不燃性板３２を取り付け固定される。この時、屋根付き囲い壁の屋根はアーチ形状で良いが違う建築物の場合はその建物に合った屋根のデザインでも良い。
コンテナ養殖施設本体１と周囲を囲む屋根付き囲い壁３の間に一定の隙間が確保される。この隙間に小石状再生多孔質軽量発泡資材８を投入して不燃断熱材として利用する。
【００４０】  図２は、コンテナ養殖施設屋根部に小石状多孔質軽量発泡資材８をガラス繊維ネット袋に入れて直接屋根に並べて設置する。また、壁面部にもガラス繊維ネット袋に入れる事により壁面の小石状多孔質軽量発泡資材８の投入作業が楽になり作業性も向上する。更に不燃の小石状多孔質軽量発泡資材８を小分けして入れる袋なので不燃でない化学繊維ネット袋でも使用可能である。そして建物と壁の間に小石状多孔質軽量発泡資材８を不燃断熱材として投入する事が目的で直に投入しても袋に入れて投入しても目的は同じで作業性と後のメンテナンスの問題である。ネット袋に入った小石状多孔質軽量発泡資材８は屋根付き囲い壁３の天井に届く手前まで並べ、その上に天井裏専用断熱板５が用意され天井裏パイプ２により溜まった熱は換気扇２５により排出される。さらに温度管理のため、室内にエアコン２７が設置されるが、飼育水槽から出てくる塩を含んだ空気でエアコンの室内機が故障するトラブルが頻繁に発生する。このためにエアコン駆動部や冷却装置や機械類・エアーコンプレッサーなどを置く機械室３３が別棟に必要になる。
【００４１】  図３の昆虫・小動物侵入阻止付き空気取り入れ・排出装置１６は、沖縄など低緯度地方で水性生物の養殖を行う場合、昆虫の数が多く少しの隙間があれば侵入してくる。ゴキブリ・ヤモリ・ムカデなどが代表で動物はネズミが侵入する。これを防ぐには空気出し入れパイプを小石状多孔質軽量流紋岩３９の中に入れて昆虫の侵入を防ぐフィルター装置部が必要である。さらにこの地方では台風の来襲時には、雨は風の勢いが強い為に施設の空いている隙間など思いもかけない所から侵入してくるので別棟からの空気の取り入部が必要である。この時に降る雨は真水では無く海水そのものが降って来るので、空気の中に塩分の占める割合は高く機械類に当たらないようにしなければならない。さらに機械室に取り入れる空気もこの点に配慮しなければならない。そのため、活性炭や木炭４１を昆虫・小動物侵入阻止付き空気取り入れ・排出装置１６に設置する必要がある。（活性炭・木炭は図面に表示無し）
【００４２】  本願発明のコンテナ養殖施設１と屋根付き囲い壁３からできたコンテナ養殖施設はコンテナ大扉入り口の反対側は鉄板で閉鎖され、行き止まりになっている。その鉄板に機械室の入り口１５を造りコンテナ養殖施設本体の後側に機械室３３を造る。
【００４３】  図４は屋根付き囲い壁３内にあるコンテナ養殖施設１の後側に機械室３３が設けられ、前記のようにして出入り口１５を確保して機械室３３内に設置台が用意され冷却装置付き水槽１８を設置する。設置台下部にエアコン駆動部２７やエアーコンプレッサー２０の機械類などを収容し、機械から出る熱を排出する為の専用パイプ２４と換気扇２５が設置され、密封された排熱排出室２３内に収容される。
【００４４】  図２のコンテナ養殖施設１の外側に設置した機械室３３は、コンテナ養殖施設壁面が無いために小石状再生多孔質軽量発泡資材８を投入する隙間が無くなる。そこで新たな断熱材収納システムが必要に成る。ここで新しく板状多孔質軽量発泡資材３５と発泡樹脂断熱材３７を使い発泡ガラス複合断熱材１３を作ることで軽量化と断熱能力の向上と材質の割れや脆さの強度補完ができる。さらに鋼材パイプの遮蔽材として、鋼材パイプ３１と鋼材パイプ３１の内側に板状多孔質軽量発泡資材３５と発泡樹脂断熱材３７を接着剤で張り合わせ板状多孔質軽量発泡資材３５を作り、鋼材パイプとパイプの間に差し込み、耐火性板・不燃性板３２に固定する。
【００４５】  図５は耐火性板・不燃性板３２と板状多孔質発泡軽量資材３５で鋼材パイプ３１を囲む形になり、不燃材と耐火材で発泡樹脂断熱材３７を完全に遮蔽する事が目的である。これは鋼材パイプ３１からの熱移動火災や輻射熱による低温着火や金属に接触して起こる火災を防ぐ事ができ、さらに直接炎に接触させないためである。板状多孔質軽量発泡資材３５の持つ素材としての利点は火に強いが、割れやヒビと脆さが弱点であり、発泡樹脂断熱材３７の持つ利点は、火に弱いが軽量で断熱力が大きいので、二つを使うことで相互の補完能力を引き出すのが目的である。さらに表面に不燃ガラス塗料を塗布する事により表面で火災を防ぎ、深部まで進ませないためである。また板状多孔質軽量発泡資材断熱板３５と発泡樹脂断熱材板３７を片面張り合わせ加工することで発泡ガラス複合断熱材１３の軽量化と断熱能力向上と不燃化が達成される。これは学校プールなどの建屋でコンテナを利用しない大きな建屋の断熱化に断熱材として利用できる。
【００４６】  さらに本願特許で不燃断熱材として使用している発泡ガラスは、色つき廃ガラスとアルミ鉱滓と各種発泡剤を用い混合焼結法により発泡ガラスを作製する。これは汚水浄化材として製造技術が既に確立し実用化されている。しかし、この発泡ガラスからヒ素、六価クロム等の重金属類が溶出する事は認識されていなかった。板状多孔質軽量発泡資材の原料にもこの発泡ガラスが含まれているので、ヒ素、六価クロム等の重金属類が溶出する危険性がある。この重金属類を抑制する添加剤は水産化カルシュウムや炭酸カルシュウムであり、この添加剤を加える事により有害な重金属類が環境中に溶け出しにくい発泡ガラスの製造が可能になる。そしてこれらの添加剤を添加処理されている製品を使い加工製造する事が重要である。さらに板状多孔質軽量発泡資材３５が表面処理されず剥き出しにならない様にガラス塗料やポリウレア樹脂などで表面処理をおこない、さらにガラス塗料を表面に塗布しておく事で表面防火処理ができ、空気中に重金属類が外部に散乱しない。
【００４７】  アルミ鉱滓を利用して発泡させた素材は、炉から出て冷却時に反りや曲がりなどや素材の脆さやひび割れなどの不具合の発生が起きる可能性があり、それら製品の安定と相互の弱点を補完するために発泡樹脂断熱材３７を板状多孔質軽量発泡資材板３５の裏側に接着する事や間に挟む事が製品の安定手段であり完成度の高い製品化が達成される。そして板状多孔質軽量発泡資材３５による発泡樹脂断熱材３７の複合化使用は断熱能力向上と軽量化・不燃化と素材の脆さの補完が達成される。さらに上記の材料にポリウレア樹脂材やガラス塗料を塗布する事で発泡樹脂断熱材３７を板状多孔質軽量発泡資材３５に接着やサンドイッチ加工することで外壁材・屋根材として仕上げる事で建築に重要な製品が出来上がる。そして軽量・断熱・耐候性に特化した製品になる。また板状多孔質軽量発泡資材３５の材料として発泡孔を多く取るために発泡素材の脆さが生じるので、丈夫で軽量な板状に仕上げるには製造段階で新材料の添加や天然石粉体の追加投入が必要になる。
【００４８】  図２のコンテナ養殖施設１の室内で使用するエアコン２７は故障が頻繁に発生するために夏場での時期には水温の上昇で飼育生物の生存に関わる問題に繋がるために設計段階で排除しなければならない。コンテナ養殖施設１内の温度管理するために機械室３３の水槽と一体となった冷却装置付水槽１８を用意する。水中ポンプ２１と循環チタン製パイプ５に接続され機械室３３からコンテナ養殖施設１内まで循環チタンパイプ５は繋がりコンテナ中央部にチタンパイプ付きチタン製放熱板７が用意されその中に少し太めのチタン製パイプがチタン製放熱板に溶接され設置されており循環チタン製パイプ５はその中を通って機械室３３の水槽に戻る。この途中に飼育水槽１１があれば循環チタンパイプ５を飼育水槽１１の中を通す事により飼育水温を維持する事ができる。
【００４９】  チタン製パイプ５は金属イオンの溶出が無い事と海水・塩水でも使える耐食性と耐久性に優れチタン熱交換機で空気よりも液体のほうが伝導率は高くチタン製パイプがチタン製放熱板７とチタン製パイプ５が一体となって中を通る事で接触部が多くなり熱伝導率が上がる。さらに熱伝導率の高さを利用してチタン製パイプはチタン製放熱板７とコンテナ鉄板壁面の間に設置固定され、チタン放熱板と鉄板の間にあるためコンテナ鉄板部も冷却する事で全体を冷却する形になるのでコンテナ養殖施設内１全体に適正温度が行き渡る。さらに水槽内に循環チタンパイプ５を配置すればその生物に合った温度を維持する事ができる。それに循環チタンパイプ５の中を通る液体は除菌効果があり食品添加物のエタノール入り水溶液か塩化ナトリュウム（食塩）水溶液のどちらでも良く、水中ポンプにより循環水はチタン循環パイプに送り出され元の冷却装置付き水槽に戻り冷される、さらに直接海水の中に設置しても耐食性と耐久性に優れたチタンパイプなので海水飼育水槽１１に直に入れても金属イオンの溶出が無くパイプは軽くて錆にも強い。
【００５０】  コンテナ養殖施設１内の循環チタン製パイプ５とチタン製パイプ付きチタン製放熱板７は飼育水槽の上部に配置されるために図２の機械室側面図で接続される冷却装置付き水槽１８は高い位置の設置台に載せられ装置内の水中モーターが入る冷却装置付き水槽で冷され、冷えた液体が常時チタン製循環パイプ内を廻っている。さらにその設置台下部には空間があり、設置台下部に排熱排出室２３を設け、熱が排出されるモーター類と機械類を収納し密閉され、専用の排出パイプ２４と換気扇２５が用意され昆虫・小動物侵入阻止付き空気取り入れ排出装置１６内に空気が排出される。この時新しい空気が必要になるので密封された設置台下部排熱排出室２３の一部が開けられ空気の取入れ口を設ける。
図３のコンテナ養殖施設の後方断面図で説明すると天井裏専用断熱板６や天井排熱パイプ２が記載されまたこれとは別に昆虫・小動物侵入阻止付き空気取り入れ排出装置１６の空気取り入れパイプ２６が用意され、２４時間連続で排熱室専用パイプから昆虫・小動物侵入阻止付き空気取り入れ排出装置１６から供給される。またこの空気取り入れ排出装置１６内に分離板４が用意され空気供給と排出フィルターに分かれている。排熱室専用パイプ２４は排熱排出室２３の専用換気扇２５に繋がる。
【００５１】  機械室３３の冷却装置付き水槽が乗る設置台下部が空間なので排熱排出室２３が用意できる。この閉鎖空間で出る熱は、機械室３３に出ていかないためにコンテナ養殖施設１内と機械室３３の室温が安定し上昇しない。また狭い機械室３３はエアコン２７が用意されているので連動した運用が可能である。図２の側面図にコンテナ養殖施設１内と機械室３３内の両方に多孔質軽量発泡資材断熱材とガラス繊維ネットの表示図が描けないのは説明図が不透明に成り解説できなくなるためである。
【００５２】  コンテナ養殖施設１と屋根付き囲い壁３の屋根部のアーチ状対応の建築材にはアーチ状にするために柔軟性が必要である。それに対応できる建築材は少なく発泡樹脂断熱材に溝を刻む処置でアール対応ができるが発泡樹脂材に高断熱能力を求めず柔軟性を求め板厚は薄い材料に替えポリウレア樹脂を吹付ければ曲面屋根施工が可能になる方法と板状多孔質軽量発泡資材３５と発泡樹脂断熱材３７を張り合わせ接着して作った発泡ガラス複合断熱材１３の表面にポリウレア樹脂を吹付け仕上げするとポリウレア複合壁材５２とポリウレア複合屋根材４１ができる。さらにこの上にガラス塗料を塗布する事で表面の不燃化が達成される。
【００５３】  屋根付き囲い壁３のアーチ状屋根には柔軟性を求め開発されたガラス繊維混入石膏ボード板４８が適切と思われる。鋼材パイプアーチ状屋根に対応できるので屋根部の天井裏板材として取り付け鋼材パイプ外側に曲面屋根施工用耐火性板・不燃性板３２を固定し、上にモルタルを塗りモルタル層４７を形成しアーチ屋根に対応する。
【００５４】  図６の屋根付き鋼材パイプ３１に取り付ける耐火性板・不燃性板３２は外側から見ると建屋側面部の壁面に取り付けられ、屋根部は柔軟性のある曲面屋根施工用で対応、その外面にモルタルを塗布しモルタル層４７をもうける。これにより鋼材パイプ３１の鉄材から耐火性板・不燃性板３２と曲面屋根施工用耐火性板・不燃性板３２の外側それぞれにモルタル層４７が構築される。これにより鋼材パイプ３１からの熱移動火災や輻射熱による低温着火や強い炎が金属に接触して起こる局部加熱による着火などを避ける処置方法である。上記で述べたように耐火性板・不燃性板３２の外側にモルタル層４７が用意され外壁用に発泡ガラス複合断熱材１３の表面にポリウレア樹脂材を吹付け仕上げしてポリウレア複合壁材５２を製作し、モルタルの上から接着剤で接合する。
図７のポリウレア樹脂複合屋根材４１は板状多孔質軽量発泡資材３５の材料を細長くしてあり、幅は片方より狭くしてある。発泡樹脂断熱材は片方より幅広でビス穴を用意し接着すると段差ができる。発泡ガラス複合断熱材の表面にポリウレア樹脂材を吹付けた屋根材である。そしてこれをモルタル層４７の上に接着剤で貼付けたり、屋根用はアーチ状に沿って下側から一枚ずつ釘かビスで止めて行き釘やビス穴を隠す用にその上に重ねて固定し貼って行く。さらに屋根用は細長い形状でできているためポリウレア樹脂複合屋根材４１の繋ぎ目と繋ぎ目の上からガラス繊維ネットバンド１７を手前基礎土台部に固定して繋ぎ目と繋ぎ目をガラス繊維ネットバンドで押さえながら反対側に渡し基礎土台部に固定する。さらにその上からガラス塗料を塗布してポリウレア樹脂複合壁材５２とポリウレア樹脂複合屋根材４１を固定し密着させる。
【００５５】  図６の屋根付き鋼材パイプ３１に取り付けた耐火性板・不燃性板３２と屋根用耐火性板・不燃性板の外側にモルタル層４７が用意され、図６にある発泡樹脂断熱材３７と板状多孔質軽量発泡資材３５で製造した発泡ガラス複合断熱材にポリウレア樹脂を吹付け加工し仕上げたポリウレア複合壁材５２とポリウレア複合屋根材４１が接着剤で屋根部や側壁面に接着剤で貼られる。さらにポリウレア複合屋根材４１の繋ぎ目と繋ぎ目にガラス繊維バンド１７を屋根付き囲い壁３の壁面から屋根部壁面に渡し基礎土台に固定される。これらの措置は沖縄地方などの台風の強風に備えてポリウレア複合壁材５２とポリウレア複合屋根材４１が強風によって破壊されないための予備的措置に他ならない。さらに外面にガラス塗料を塗布する事により汚れのみならず紫外線、塩害、湿気、水分の侵入防止、建屋の表面火災による防火性、耐火性、耐熱性が確保された。
【産業上の利用可能性】
【００５６】  コンテナ養殖施設と屋根付き囲い壁の二つの建屋がペアになって初めて不燃断熱施設が出来上がり、その間に不燃断熱材の小石状多孔質軽量発泡資材を入れることができる。そもそも緯度の低い地方の離島で水性生物の養殖を行う水槽を収容する施設を想定して発明された物である。従って本来の目的で使用すれば効果的であるが、それ以外でも、逆に寒冷地において温暖な環境を好む水性生物の養殖にも使用できる。また季節の影響を受けずに養殖が可能になるので、事業として行う場合は安定的に運営できる。【００５７】  さらに本願発明の施設は不燃、高断熱、低コスト、組み立てが容易である。また中古コンテナの再利用なので価格が安い。さらに断熱能力を持たせる事によりエネルギー消費を押さえる事ができるなどの特徴があり、養殖関係の用途以外にも一般住宅としても従来にない利点が多いので、今後の普及が期待できる。それが過疎地の産業と雇用を生み出す事が期待できる。【００５８】  この養殖システムを進めて行く中で砂漠地帯での養殖を希望する声が生じて来た。離島でも砂漠でもこの養殖システムを使用する場合に異なるのは施設外部の湿度だけである。そこで本発明を実施するに当たり用いる技術はそのまま砂漠地帯での養殖にも用いる事ができ、砂漠特有の高温、高乾燥地帯でも十分に実現可能である。【００５９】  本願発明を実施する事による社会的には、地域に養殖産業を定着させるだけでなく、養殖作業場、事務所、住居など多目的に適合した施設を産業環境として造る仕事も提供するという二重の効果がある。
さらに本願特許で提案している施設は特に建築の専門家で無くてもマニュアル通り指導すれば建築の専門性や習熟度が低くとも建設に従事する事ができる。
建築後も施設の維持・修繕などメンテナンスに係わる事ができるため自分たちでコンテナ養殖施設を維持管理する事が重要で外部に修繕・メンテナンスを依頼するのでは無く自主運営ができる事が重要である。背景技術のところで説明したように、離島では地域に根ざした産業を維持したり、新たに起こしたりするのが難しく、それが若者の島離れの原因になり、過疎化を招き、人口の高齢化が進む。その対策として離島で水性生物の養殖を進める事と、施設建築産業を提供することは有用であると確信している。
【符号の説明】
【００６０】１          コンテナ養殖施設
２          天井裏排熱パイプ
３          屋根付き囲い壁
４          空気取り入れ・排出装置内分離板
５          循環チタンパイプ
６          天井裏専用断熱板
７          チタンパイプ付きチタン放熱板
８          小石状多孔質軽量発泡資材
１０
１１        飼育水槽
１２        コンテナ施設天井裏パイプ
１３        発泡ガラス複合断熱材（機械室内壁部・天井部断熱材）
１４        コンクリート床
１５        機械室入り口
１６        昆虫・小動物阻止付き空気取り入れ及び排出装置
１７        ガラス繊維ネットバンド
１８        冷却装置付き水槽
１９        排水パイプ
２０        コンプレッサー
２１        水中ポンプ
２３        排熱排出室
２４        排熱室専用パイプ
２５        換気扇
２６        空気取り入れパイプ
２７        エアコン動力部と室内機
２９        風防室
３１        鋼材パイプ（屋根付き鋼材パイプ）
３２        耐火性板・不燃性板（曲面屋根施工用耐火性板・不燃性板）
３３        機械室
３５        板状多孔質軽量発泡資材
３７        発泡樹脂断熱材又は発泡スチロール
３９        多孔質軽量流紋岩・活性炭・木炭
４１        ポリウレア樹脂複合屋根材
４５        ガラス繊維ネット・ガラス塗料
４７        モルタル層
４８        ガラス繊維混入石膏ボード
５２        ポリウレア樹脂複合壁材
５７        ビスまたは釘用穴
６１        ネット袋入り小石状多孔質軽量発泡資材
【図１】
2020096576.tif 000003
【図２】
2020096576.tif 000004
【図３】
2020096576.tif 000005
【図４】
2020096576.tif 000006
【図５】
2020096576.tif 000007
【図６】
2020096576.tif 000008
【図７】
2020096576.tif 000009
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
コンテナ養殖施設を基礎土台に固定し、そのコンテナ養殖施設に沿って外側に鋼材パイプ構造部材で囲い壁構造体を建築し一定の間隔の隙間が構成され、小石状再生多孔質軽量発泡資材を不燃材・断熱材としてコンテナ養殖施設と鋼材パイプ構造部材で構成されている囲い壁構造体の隙間に直に投入又はネット袋に入れ投入し不燃・断熱材とする事を特徴としたコンテナ養殖施設用不燃・断熱化囲い壁構造体。
【請求項２】
請求項１記載のコンテナ養殖施設用不燃・断熱化囲い壁構造体は、コンテナ養殖施設と別室機械室で構成され再生発泡ガラス材料が板状に形成された板状再生発泡多孔質軽量発砲資材板と発泡樹脂断熱材を接着剤で貼り合わせ形成された発泡ガラス複合断熱材を、別室機械室を覆う囲い壁構造体の基礎鋼材パイプ構造部材に固定して、発泡ガラス複合断熱材の発泡樹脂断熱材側表面に不燃ガラス塗料を塗布する事を特徴としたコンテナ養殖施設用不燃・断熱化囲い壁構造体。
【請求項３】
請求項１記載のコンテナ養殖施設用不燃・断熱化囲い壁構造体は内部に配置されたコンテナ養殖施設と別室機械室で構成され、雨水の浸入防止と空気の供給と排出は別棟昆虫・小動物阻止屋根付き小屋装置が介在し、別棟昆虫・小動物阻止屋根付き小屋装置に小石状多孔質流紋岩と木炭と活性炭が設置され空気の出入はこの別棟昆虫・小動物阻止屋根付き小屋装置を経由する事を特徴とした請求項１又は請求項２記載のコンテナ養殖施設用不燃・断熱化囲い壁構造体。
【請求項４】
請求項１記載のコンテナ養殖施設用不燃・断熱化囲い壁構造体はコンテナ養殖施設と別室機械室に分かれ、機械室内に設置された冷却用水槽で冷された液体はポンプと循環パイプによりコンテナ養殖施設室内に送られパイプと放熱板で室内が冷され、循環パイプを飼育水槽に設置し冷却すると飼育水が冷され、さらにコンテナ壁面に固定する放熱板と循環パイプはチタン製を採用する事を特徴としたコンテナ養殖施設用不燃・断熱化囲い壁構造体。
【請求項５】
請求項１記載のコンテナ養殖施設用不燃・断熱化囲い壁構造体の構造部材である基礎鋼材パイプは垂直部と屋根部アーチ部で構成され、耐火性板・不燃性板は、曲面屋根部と垂直壁面部で構成されるとともに、基礎構造部材パイプに固定され、表面上部にモルタル層が構築されるコンテナ養殖施設用不燃・断熱化囲い壁構造体。
【請求項６】
請求項５記載のコンテナ養殖施設用不燃・断熱化囲い壁構造体の外壁・屋根材は、板状再生多孔質軽量発泡資材板と発泡樹脂断熱材を接着剤で貼り合わせ表面にポリウレア樹脂を吹付けコーティングして形成され壁面用・屋根用のポリウレア樹脂複合材が壁面用と屋根用のデザインに合わせて形成されて、耐火性板・不燃性板の上部表面に用意されたモルタル層の表面に固定され、さらにポリウレア樹脂複合材の繋ぎ目にガラス繊維ネットバンドが建屋両端に渡され基礎土台に固定され、ガラス繊維ネットバンドの表面全体にガラス塗料を塗布して成る事を特徴とするコンテナ養殖施設用不燃・断熱化囲い壁構造体。